【事件の表示】
　特願２０１４−２３８７７１号「遊技機」拒絶査定不服審判事件〔平成２７年　２月２６日出願公開、特開２０１５−　３７７０５号〕について、次のとおり審決する。
【結　論】
　本件審判の請求は、成り立たない。
【理　由】
第１　手続の経緯
　本願は、平成２０年１月２４日に出願した特願２００８−１３９０７号の一部を、平成２５年７月１０日に新たに出願し（特願２０１３−１４４６１０号）、さらに、その一部を平成２６年１１月２６日に新たに特許出願したものであって、平成２７年９月３日付けで手続補正がなされ、平成２７年１２月２８日付けで拒絶理由が通知され、平成２８年３月３日付けで手続補正がなされると共に意見書が提出されたところ、平成２８年９月９日付けで拒絶査定がなされ、これに対し平成２８年１２月１５日に拒絶査定不服審判の請求がなされると同時に明細書及び特許請求の範囲に係る手続補正がなされ、当審において平成２９年７月２７日付けで拒絶理由が通知され、平成２９年１０月６日付けで手続補正がなされると共に意見書が提出されたものである。
第２　本願の請求項１に係る発明
　平成２９年１０月６日付けの手続補正は、特許請求の範囲を補正する内容を含んでおり、当該補正後の請求項１に係る発明（以下、「本願発明」という。）は、次のとおりのものである。なお、Ａ〜Ｍは本願発明の構成を分説するため当審で付した。
「【請求項１】
Ａ　画像が表示される表示画面を有し、該表示画面が遊技機正面視で遊技者に視認可能となる画像表示手段と、
Ｂ　表示物を表示可能であるとともに、その裏面側が視認可能であって前記画像表示手段に表示される画像を視認可能な透過性表示手段と、
Ｃ　前記透過性表示手段の背後に配置され且つ当該透過性表示手段を透過して視認可能に配置される演出用役物と、を備えた遊技機において、
Ｄ　前記透過性表示手段は、前記演出用役物を視認可能な状態において前記表示物を表示可能に構成されており、
Ｅ　前記画像表示手段は、前記画像表示手段で所定の演出を行う第１の位置と、当該第１の位置から前記画像表示手段を移動させて前記画像表示手段と前記透過性表示手段とで演出を行う第２の位置とに、前記画像表示手段を移動可能な駆動手段と、
Ｆ　前記第２の位置に移動した前記画像表示手段を少なくとも前記画像表示手段と前記透過性表示手段とで演出を行うことが可能な範囲内で変位させて、前記透過性表示手段の前記表示物との位置関係を変化可能な変位手段と、を有し、
Ｇ　前記演出用役物は、前記変位手段が前記画像表示手段を少なくとも前記画像表示手段と前記透過性表示手段とで演出を行うことが可能な範囲内で変位させる態様とは異なる態様での変化が可能であって、
Ｈ　前記遊技機は、前記演出用役物の変化に合わせて、前記変位手段が前記画像表示手段を変位させるか、又は、前記画像表示手段が前記画像を変化させるかの少なくともいずれか一つを行うものであり、
Ｉ　前記演出用役物の明るさを変化させる発光手段と、
Ｊ　前記演出用役物を支持する支持手段と、
Ｋ　前記支持手段を移動可能な支持駆動手段と、を備え、
Ｌ　前記変位手段は、複数段階に変位可能である
Ｍ　ことを特徴とする遊技機。」
第３　当審の平成２９年７月２７日付け拒絶理由の概要
　当審の平成２９年７月２７日付けの拒絶の理由の概略は、以下のとおりである。
　本願の請求項１に係る発明は、本願遡及日前に日本国内又は外国において頒布された下記の刊行物に記載された発明に基づいて、その遡及日前にその発明の属する技術分野における通常の知識を有するものが容易に発明をすることができたものであるから、特許法第２９条第２項の規定により特許を受けることができない。
 　　　　　　　　　　　　　　　　　　　記
刊行物１：特開２００６−１５８７２１号公報
刊行物２：特開平０４−１７０９８２号公報
刊行物３：特開２００６−１５８７２０号公報
第４　刊行物に記載された事項
（１）刊行物１
　当審の拒絶理由で引用された刊行物１には、次の事項が記載されている（下線は当審で付した。）。
（ア）「【００１９】
　灰皿部１７０は、煙草の吸殻を入れるための容器であり、メダル受皿１５６の内側にネジ止めされている。音孔１７１はスロットマシン１００内部に設けられているスピーカの音を外部に出力するための孔である。上部ランプ１５１、サイドランプ１５２、中央ランプ１５３、腰部ランプ１５４、下部ランプ１５５、受皿ランプ１５６は、遊技を盛り上げるための装飾用のランプである。タイトルパネル１４０はそのスロットマシンの機種名や各種のデザインが描かれるパネルであり、リールパネル１４１は絵柄表示窓１１３を有するパネルである。
スロットマシン１００の上部には演出ユニットＡが設けられている。
【００２０】
　＜演出ユニット＞
　次に、図１乃至図４を参照して演出ユニットＡの構成について説明する。
演出ユニットＡは画像表示装置である液晶表示装置（以下、ＬＣＤという）１０と、ハーフミラー２０と、を備える画像表示ユニットを構成している。
【００２１】
　
ＬＣＤ１０は表示画面１１に電子画像を表示可能な画像表示装置である。
・・・
【００２３】
　
モータ３０の駆動によるＬＣＤ１０の回動により、ＬＣＤ１０は図２に示す第１の位置と、図４に示す第２の位置との間で移動する。
第１の位置においてＬＣＤ１０はその表示画面１１が略垂直な状態にあり
・・・
【００２５】
　次に、ハーフミラー２０について説明する。
ハーフミラー２０は例えば光の透過率が５０％程度のミラーであり、本実施形態の場合、支持体２１により水平面から略４５度の角度で支持されている。
（イ）「【００３０】
　
支持体２１の底板１ｄ表面には更にボールネジ４２に螺合するボールナットを有するボールナット部材２１ｅが底板１ｄの中央前後端部にそれぞれ設けられている。しかして、モータ４０を回転させるとボールネジ４２が回転し、これによって支持体２１及びハーフミラー２０が演出ユニットＡの奥行き方向に平行移動することになる。
・・・
【００３２】
　さて、係る構成からなる演出ユニットＡの画像表示態様について図６（ａ）及び（ｂ）を参照して説明する。図６（ａ）は演出ユニットＡによる３次元画像の表示原理の説明図であり、同図の右側の図は演出ユニットＡの要部を側方から見た図であり、同図の左側の図はＬＣＤ１０が第２の位置にあるときに遊技者から見える表示画像を示している。なお、同図の例では
支持体２１内に被合成物として立体物Ｘ１が配設されている。立体物Ｘ１は山を模した模型である。
【００３３】
　さて、図６（ａ）を参照して、
ＬＣＤ１０が同図の破線の位置（第１の位置）にある場合、上述した通り、ＬＣＤ１０の表示画面１１が収納部１の正面に露出した状態にあり、遊技者からは表示画面１１は見えるが、ハーフミラー２０や支持体２１はＬＣＤ１０の背後に隠れて見えない。演出ユニットＡからはＬＣＤ１０による２次元画像が遊技者に提示されることになる。
【００３４】
　一方、
ＬＣＤ１０が同図の実線の位置（第２の位置）にある場合、ＬＣＤ１０の表示画面１１は略水平となるので遊技者からは表示画面１１が直接見えない。そして、ＬＣＤ１０からハーフミラー２０に投影された画像（虚像）が遊技者に提示されることになる。
【００３５】
　また、図６（ａ）の例では
ハーフミラー２０の背後であって、虚像の位置よりも遊技者の視認方向に後に立体物Ｘ１が配置されている。立体物Ｘ１は実像としてハーフミラー２０を透過して遊技者から見えることになる。このため、同図の左に示す表示画像では、虚像（ＵＦＯ）と立体物Ｘ１とが合成された合成画像となり、遊技者から見ると、虚像（ＵＦＯ）→立体物Ｘ１の順にこれらが位置しているように見える。
・・・
【００３７】
　次に、本実施形態では上述した通り
ハーフミラー２０を支持体２１と共に演出ユニットＡの奥行き方向（遊技者の視認方向）に平行移動することができる。
【００３８】
　図６（ｂ）の例では
ハーフミラー２０を後退させているので、同図左に示すように表示画面上の虚像の位置は下方に下がることになる。また、虚像の位置と立体物Ｘ１とはハーフミラー２０の後退と伴って後退し、ＵＦＯの虚像と立体物Ｘ１の実像との双方が後退して見える。ＵＦＯの虚像の大きさは変わらないので、遊技者から見るとＵＦＯの虚像と立体物Ｘ１により示される山の実像との双方が遠ざかり、かつ、ＵＦＯの虚像が下降しながら山に少し近づいていくように見えることになる。
（ウ）「【０１１７】
　＜演出ユニットＡによる合成画像表示例＞
　次に図２４を参照して、３次元画像の表示時のハーフミラー２０の移動による合成画像の他の例について説明する。図６（ａ）及び（ｂ）を参照して上述した例ではハーフミラー２０を後退させることによりＵＦＯの虚像と立体物Ｘ１により示される山とが後退し、かつ、ＵＦＯの虚像が下降しながら山に少し近づいていくように見せるものであったが、
ＬＣＤ１０により表示される画像の表示画面１１上の位置を変化させることで、遊技者に見えるＵＦＯの虚像が同じ高さで後退するように見せることもできる。
（エ）「【０１２３】
　この結果、図２５（ｂ）の左に示すように遊技者から見える３次元画像はＵＦＯが立体物Ｘ１で示される山へ真っ直ぐと遠ざかっているように見える。図２５（ｂ）の右に示すように虚像の位置が後退し、かつ、ＵＦＯの虚像が縮小するので、より遠近感が強くなり、虚像の位置の後退感が強くなる。
ＬＣＤ１０からハーフミラー２０に投影する画像を、ハーフミラー２０の移動に伴って変化させることで（本例ではハーフミラー２０の後退に伴って画像の表示位置を徐々に変化させ、かつ、画像を徐々に縮小していく。）、虚像であるＵＦＯが飛び去っていく様子をよりリアルに表現できる。
　上記（ア）〜（エ）の記載事項から、以下の事項がいえる。なお、（ａ）〜（ｅ）、（ｇ）、（ｈ）、（ｊ）、（ｋ）、（ｍ）は、本願発明の構成Ａ〜Ｅ、Ｇ、Ｈ、Ｊ、Ｋ、Ｍに対応した事項を示している。
（ａ）上記（ア）の【００２１】に「ＬＣＤ１０は表示画面１１に電子画像を表示可能な画像表示装置である。」と記載され、上記（イ）の【００３３】に「ＬＣＤ１０が同図の破線の位置（第１の位置）にある場合、上述した通り、ＬＣＤ１０の表示画面１１が収納部１の正面に露出した状態にあり、遊技者からは表示画面１１は見える」と記載されている。
　したがって、刊行物１には、
電子画像を表示可能な表示画面１１を有し、該表示画面１１が収納部１の正面に露出した状態では、遊技者から該表示画面１１が見えるＬＣＤ１０
（ｂ）上記（イ）の【００３５】に「ハーフミラー２０の背後であって、虚像の位置よりも遊技者の視認方向に後に立体物Ｘ１が配置されている。立体物Ｘ１は実像としてハーフミラー２０を透過して遊技者から見えることになる。このため、同図の左に示す表示画像では、虚像（ＵＦＯ）と立体物Ｘ１とが合成された合成画像となり、遊技者から見ると、虚像（ＵＦＯ）→立体物Ｘ１の順にこれらが位置しているように見える。」と記載されているから、立体物Ｘ１（実像）を表示可能であるとともに、その裏面側が視認可能であるハーフミラー２０が記載されているといえる。
　また、【００３４】に「ＬＣＤ１０からハーフミラー２０に投影された画像（虚像）が遊技者に提示されることになる。」と記載されているから、ＬＣＤ１０に表示される画像（虚像）を遊技者に提示するハーフミラー２０が記載されているといえる。
　したがって、刊行物１には、
立体物Ｘ１（実像）を表示可能であるとともに、その裏面側が視認可能であってＬＣＤ１０に表示される画像（虚像）を遊技者に提示するハーフミラー２０
（ｃ）上記（ア）の【００１９】に「スロットマシン１００の上部には演出ユニットＡが設けられている。」、【００２０】に「演出ユニットＡは画像表示装置である液晶表示装置（以下、ＬＣＤという）１０と、ハーフミラー２０と、を備える画像表示ユニットを構成している。」と記載され、上記（イ）の【００３２】に「立体物Ｘ１は山を模した模型である。」、【００３５】に「ハーフミラー２０の背後であって、虚像の位置よりも遊技者の視認方向に後に立体物Ｘ１が配置されている。」と記載されている。
　したがって、刊行物１には、
ハーフミラー２０の背後に配置され、当該ハーフミラー２０を透過して遊技者から見える山を模した模型である立体物Ｘ１と、を備えたスロットマシン１００
（ｄ）上記（イ）の【００３５】に「ハーフミラー２０の背後であって、虚像の位置よりも遊技者の視認方向に後に立体物Ｘ１が配置されている。立体物Ｘ１は実像としてハーフミラー２０を透過して遊技者から見えることになる。」と記載されている。
　したがって、刊行物１には、
ハーフミラー２０は、当該ハーフミラー２０を透過して立体物Ｘ１の実像が遊技者から見えるように構成
（ｅ）上記（ア）の【００２３】に「第１の位置においてＬＣＤ１０はその表示画面１１が略垂直な状態にあり」、と記載され、上記（イ）の【００３３】に「ＬＣＤ１０が同図の破線の位置（第１の位置）にある場合、上述した通り、ＬＣＤ１０の表示画面１１が収納部１の正面に露出した状態にあり、遊技者からは表示画面１１は見えるが、ハーフミラー２０や支持体２１はＬＣＤ１０の背後に隠れて見えない。演出ユニットＡからはＬＣＤ１０による２次元画像が遊技者に提示されることになる。」、【００３４】に「ＬＣＤ１０が同図の実線の位置（第２の位置）にある場合、ＬＣＤ１０の表示画面１１は略水平となるので遊技者からは表示画面１１が直接見えない。そして、ＬＣＤ１０からハーフミラー２０に投影された画像（虚像）が遊技者に提示されることになる。」と記載されているから、刊行物１には、
ＬＣＤ１０が、その表示画面１１が略垂直な状態にあり、当該状態において遊技者からは当該ＬＣＤ１０の表示画面１１は見えるが、ハーフミラー２０は当該ＬＣＤ１０の背後に隠れて見えないため、ＬＣＤ１０による２次元画像が遊技者に提示される第１の位置と、ＬＣＤ１０が、その表示画面１１が略水平な状態にあり、当該状態においてＬＣＤ１０からハーフミラー２０に投影された虚像が遊技者に提示される第２の位置とがあること
　また、上記（ア）の【００２３】に「モータ３０の駆動によるＬＣＤ１０の回動により、ＬＣＤ１０は図２に示す第１の位置と、図４に示す第２の位置との間で移動する。」と記載されている。
　したがって、刊行物１には、
ＬＣＤ１０が、その表示画面１１が略垂直な状態にあり、当該状態において遊技者からは当該ＬＣＤ１０の表示画面１１は見えるが、ハーフミラー２０は当該ＬＣＤ１０の背後に隠れて見えないため、ＬＣＤ１０による２次元画像が遊技者に提示される第１の位置と、ＬＣＤ１０が、その表示画面１１が略水平な状態にあり、当該状態においてＬＣＤ１０からハーフミラー２０に投影された虚像が遊技者に提示される第２の位置との間を、当該ＬＣＤ１０を回動させることにより移動させるモータ３０
（ｇ）上記（ア）の【００２５】に「ハーフミラー２０は例えば光の透過率が５０％程度のミラーであり、本実施形態の場合、支持体２１により水平面から略４５度の角度で支持されている。」と記載され、上記（イ）の【００３７】に「ハーフミラー２０を支持体２１と共に演出ユニットＡの奥行き方向（遊技者の視認方向）に平行移動することができる。」、【００３８】に「ハーフミラー２０を後退させているので、同図左に示すように表示画面上の虚像の位置は下方に下がることになる。また、虚像の位置と立体物Ｘ１とはハーフミラー２０の後退と伴って後退し、ＵＦＯの虚像と立体物Ｘ１の実像との双方が後退して見える。ＵＦＯの虚像の大きさは変わらないので、遊技者から見るとＵＦＯの虚像と立体物Ｘ１により示される山の実像との双方が遠ざかり、かつ、ＵＦＯの虚像が下降しながら山に少し近づいていくように見えることになる。」と記載されている。
　したがって、刊行物１には、
立体物Ｘ１の実像は、ハーフミラー２０を支持する支持体２１を遊技者の視認方向に平行移動させてハーフミラー２０を後退させることで、遊技者から見ると、ＵＦＯの虚像とともに遠ざかるように見え
（ｈ）上記（ア）の【００１９】に「スロットマシン１００」と記載され、上記（ウ）の【０１１７】に「ＬＣＤ１０により表示される画像の表示画面１１上の位置を変化させることで、遊技者に見えるＵＦＯの虚像が同じ高さで後退するように見せることもできる。」、上記（エ）の【０１２３】に「ＬＣＤ１０からハーフミラー２０に投影する画像を、ハーフミラー２０の移動に伴って変化させることで（本例ではハーフミラー２０の後退に伴って画像の表示位置を徐々に変化させ、かつ、画像を徐々に縮小していく。）、虚像であるＵＦＯが飛び去っていく様子をよりリアルに表現できる。」と記載されている。
　したがって、刊行物１には、
スロットマシン１００は、ハーフミラー２０の後退に伴ってＬＣＤ１０からハーフミラー２０に投影する画像の表示位置を徐々に変化させ、かつ、画像を徐々に縮小していくことで、虚像であるＵＦＯが飛び去っていく様子を表現できるものであ
（ｊ）上記（ア）の【００２５】に「ハーフミラー２０は例えば光の透過率が５０％程度のミラーであり、本実施形態の場合、支持体２１により水平面から略４５度の角度で支持されている。」と記載され、上記（イ）の【００３２】に「支持体２１内に被合成物として立体物Ｘ１が配設されている。」と記載されている。
　したがって、刊行物１には、
立体物Ｘ１がその内部に配設され、かつハーフミラー２０を支持する支持体２１
（ｋ）上記（イ）の【００３０】に「支持体２１の底板１ｄ表面には更にボールネジ４２に螺合するボールナットを有するボールナット部材２１ｅが底板１ｄの中央前後端部にそれぞれ設けられている。しかして、モータ４０を回転させるとボールネジ４２が回転し、これによって支持体２１及びハーフミラー２０が演出ユニットＡの奥行き方向に平行移動することになる。」と記載されている。
　したがって、刊行物１には、
ハーフミラー２０を支持する支持体２１を移動させるモータ４０、ボールネジ４２及びボールナット部材２１ｅ
（ｍ）上記（ア）の【００１９】に「スロットマシン１００」と記載されているから、刊行物１には、
スロットマシン１００
　したがって、上記（ア）〜（エ）の記載事項および上記（ａ）〜（ｅ）、（ｇ）、（ｈ）、（ｊ）、（ｋ）、（ｍ）の認定事項を総合すれば、刊行物１には、次の発明が記載されている（以下、「刊行物１発明」という。ａ〜ｅ、ｇ’、ｈ、ｊ、ｋ、ｍは刊行物１発明を分説するため当審で付した。）。
「ａ　電子画像を表示可能な表示画面１１を有し、該表示画面１１が収納部１の正面に露出した状態では、遊技者から該表示画面１１が見えるＬＣＤ１０と、
ｂ　立体物Ｘ１（実像）を表示可能であるとともに、その裏面側が視認可能であってＬＣＤ１０に表示される画像（虚像）を遊技者に提示するハーフミラー２０と、
ｃ　ハーフミラー２０の背後に配置され、当該ハーフミラー２０を透過して遊技者から見える山を模した模型である立体物Ｘ１と、を備えたスロットマシン１００において、
ｄ　ハーフミラー２０は、当該ハーフミラー２０を透過して立体物Ｘ１の実像が遊技者から見えるように構成され、
ｅ　ＬＣＤ１０が、その表示画面１１が略垂直な状態にあり、当該状態において遊技者からは当該ＬＣＤ１０の表示画面１１は見えるが、ハーフミラー２０は当該ＬＣＤ１０の背後に隠れて見えないため、ＬＣＤ１０による２次元画像が遊技者に提示される第１の位置と、ＬＣＤ１０が、その表示画面１１が略水平な状態にあり、当該状態においてＬＣＤ１０からハーフミラー２０に投影された虚像が遊技者に提示される第２の位置との間を、当該ＬＣＤ１０を回動させることにより移動させるモータ３０を有し、
ｇ’　立体物Ｘ１の実像は、ハーフミラー２０を支持する支持体２１を遊技者の視認方向に平行移動させてハーフミラー２０を後退させることで、遊技者から見ると、ＵＦＯの虚像とともに遠ざかるように見え、
ｈ　スロットマシン１００は、ハーフミラー２０の後退に伴ってＬＣＤ１０からハーフミラー２０に投影する画像の表示位置を徐々に変化させ、かつ、画像を徐々に縮小していくことで、虚像であるＵＦＯが飛び去っていく様子を表現できるものであり、
ｊ　立体物Ｘ１がその内部に配設され、かつハーフミラー２０を支持する支持体２１と、
ｋ　ハーフミラー２０を支持する支持体２１を移動させるモータ４０、ボールネジ４２及びボールナット部材２１ｅと、を備える
ｍ　スロットマシン１００。」
（２）刊行物２
　当審の拒絶理由で引用された刊行物２の第２頁右上欄第１５行目−第３頁左上欄第１９行目には、次の事項が記載されている（下線は当審で付した。）。
「
４−ａは
第１の表示器
５−ａは
第２の表示器
　
８は、光学ミラー
第２の表示器５−ａの全体を上下方向にスライドさせるための駆動機構
　尚、ＬＥＤの配置位置は光学ミラー８の下方にしても表示機能としては同一であるが、この場合ミラー取付角は第４図に示したミラー法線Ｎを含む平面を反射面とする角度に取付ける必要がある。
　次にその作用を第１図乃至第３図にもとずき説明する。
　特定の穴にパチンコ玉が入った事を検出すると第１の表示器４−ａのＶＦＤでは３桁の数字又はアルファベットの文字が、スロットマシン風にくるくると表示され、ある特定時間後に表示がストップする。このストップした数字を含む文字はあらかじめ乱数発生器により定められたものである。今、スロットマシン風に３桁文字がそろった時、いわゆる大当りのときに、
第２の表示器５−ａを点灯すると、第１の表示器の表示像（実像）は遊技者の目の位置から見るとミラー８上の代表光路との交点Ｐよりａだけ奥まったところにできるが、第２の表示器５−ａの表示像（虚像）は、第２の表示器５−ａの配設される位置、即ち、点Ｐの上方ｂ〜ｂ’の範囲により遊技者の目の位置から見ると点Ｐよりｃ〜ｃ’奥まった位置に出来る
遊技者は第１及び第２の表示像が同一領域（ここではミラーの大きさの範囲内）に両表示像の奥行き感に違い（ＬＥＤが奥にある様に見える）がある様に見える
　ここで、
ｃ〜ｃ’を表示結像位置と呼ぶが、この値は実際の第２の表示器の点Ｐからの距離をｂ〜ｂ’の範囲で動かすことにより容易に変化させる
　大当りしたことを検出する大当り検出器で検出すると第２の表示制御器によりスライド駆動制御器に信号が行き、例えばスライドさせながら第２の表示器を表示させると第１表示器４−ａの固定された、位置的には変化のない表示像に対し、第２の表示像は遊技者に近づいてきたり、遠ざかっていったりという表示をさせることができる。」
　また、第１図には、第２の表示器５−ａと、当該第２の表示器５−ａの下方に配置された光学ミラー８と、前記光学ミラー８の背後に配置された第１の表示器４−ａとからなる構成が図示され、第２の表示器５−ａが点Ｐの上方ｂに位置していると、第２の表示器５−ａの表示像（虚像）は点Ｐよりｃ奥まった位置に出来ており、該第２の表示器の表示像は遊技者から近い位置に表示され、第２の表示器５−ａが点Ｐの上方ｂ’に位置していると、第２の表示器５−ａの表示像（虚像）は点Ｐよりｃ’奥まった位置に出来ており、該第２の表示器の表示像は遊技者から遠い位置に表示されることが図示されている。
　ここで、該第１図の図示内容から、第２の表示器を下から上にスライドさせると、第２の表示器の表示像（虚像）は遊技者から近い位置から遠い位置と変化するので、この場合の第２の表示器の表示像は、遊技者から見れば第２の表示器の表示像が遊技者に近い位置にある場合と比べて縮小して表示されていると認められる。
　上記記載内容、図示内容および認定事項から、刊行物２には、「第２の表示器と、当該第２の表示器の下方に配置された光学ミラーと、前記光学ミラーの背後に配置され且つ当該光学ミラーを透過して視認可能に配置された第１の表示器とからなり、遊技者の目の位置からみると前記第１の表示器の表示像（実像）と前記第２の表示器の表示像（虚像）とが同一領域に両表示像の奥行き感に違いがある様に見えるようにした遊技機用表示装置において、前記第２の表示器を上方向にスライドさせることにより、前記第２の表示器の表示像（虚像）の表示結像位置を変化させて第２の表示像を遊技者からより遠い位置に、縮小して表示させる駆動機構を設ける点。」（以下「刊行物２に記載された技術事項」という。）が記載されているといえる。
（３）刊行物３
　当審の拒絶理由で引用された刊行物３には、次の事項が記載されている。
（ア）「【００２８】
  図１は、本発明の一実施形態に係る
スロットマシン１００
（イ）「【００５１】
  一方、ＬＣＤ１０が同図の実線の位置（第２の位置）にある場合、ＬＣＤ１０の表示画面１１は略水平となるので遊技者からは表示画面１１が直接見えない。そして、
ＬＣＤ１０からハーフミラー２０に投影された画像（虚像）が遊技者に提示されることになる。この虚像は同図に示すように遊技者から見ると、ハーフミラー２０の背後に浮かんでいるように見え、立体的感のある、３次元的な画像となる。
【００５２】
  また、図６（ａ）の例では
ハーフミラー２０の背後であって、虚像の位置よりも遊技者の視認方向に前に立体物Ｘ１が、虚像の位置よりも遊技者の視認方向に後に立体物Ｘ２が配置されている。これらの立体物Ｘ１及びＸ２は実像としてハーフミラー２０を透過して遊技者から見えることになる。
虚像（ＵＦＯ）と立体物Ｘ１及びＸ２が合成された合成画像
」
（ウ）「【０１３３】
　・・・同図のパターンＥ２は３次元画像中に照明ユニット６０の冷陰極線管６０ａを点灯することでハーフミラー２０の背後を明るくする演出である。同図のパターンＥ３は３次元画像中に照明ユニット６０の冷陰極線管６０ａを点灯する途中又は消灯する途中の状態であり
ハーフミラー２０の背後を徐々に明るく又は暗くする演出
ＬＣＤ１０に画像を表示せず、ハーフミラー２０の背後の立体物の提示と立体物を照明する照明ユニット６０の照明の変化のみの演出
　上記（ア）−（ウ）の記載から、刊行物３には、「ＬＣＤ１０からハーフミラー２０に投影された画像（虚像）とハーフミラー２０の背後に配置されている立体物Ｘ１及びＸ２（実像）とが合成された合成画像を遊技者に提示するスロットマシン１００において、ハーフミラーの背後を徐々に明るく又は暗くしたり、ＬＣＤに画像を表示せず、ハーフミラーの背後の立体物の提示と立体物を照明する照明ユニットの照明の変化のみの演出とするよう照明ユニットを制御する点。」（以下「刊行物３に記載された技術事項」という。）が記載されているといえる。
第５　当審の判断 
（１）対比 
　本願発明と刊行物１発明とを対比する。対比の見出しとしての（ａ）〜（ｅ）、（ｇ’）、（ｈ）、（ｊ）、（ｋ）、（ｍ）は刊行物１発明の分説構成と対応させた。
（ａ）刊行物１発明の「ＬＣＤ１０」は、「表示画面１１が収納部１の正面に露出した状態では、遊技者から該表示画面１１が見える」ことから、本願発明の「表示画面が遊技機正面視で遊技者に視認可能となる画像表示手段」に相当する。
　したがって、刊行物１発明の「電子画像を表示可能な表示画面１１を有し、該表示画面１１が収納部１の正面に露出した状態では、遊技者から該表示画面１１が見えるＬＣＤ１０」は、本願発明の「画像が表示される表示画面を有し、該表示画面が遊技機正面視で遊技者に視認可能となる画像表示手段」に相当する。
（ｂ）刊行物１発明の「立体物Ｘ１（実像）」、「ハーフミラー２０」は、それぞれ本願発明の「表示物」、「透過性表示手段」に相当する。
　したがって、上記（ａ）で言及したように刊行物１発明の「ＬＣＤ１０」は、本願発明の「画像表示手段」に相当するから、刊行物１発明の「立体物Ｘ１（実像）を表示可能であるとともに、その裏面側が視認可能であってＬＣＤ１０に表示される画像（虚像）を遊技者に提示するハーフミラー２０」は、本願発明の「表示物を表示可能であるとともに、その裏面側が視認可能であって前記画像表示手段に表示される画像を視認可能な透過性表示手段」に相当する。
（ｃ）刊行物１発明の「立体物Ｘ１」、「スロットマシン１００」は、それぞれ本願発明の「演出用役物」、「遊技機」に相当する。
　したがって、刊行物１発明の「ハーフミラー２０の背後に配置され、当該ハーフミラー２０を透過して遊技者から見える山を模した模型である立体物Ｘ１と、を備えたスロットマシン１００」は、本願発明の「前記透過性表示手段の背後に配置され且つ当該透過性表示手段を透過して視認可能に配置される演出用役物と、を備えた遊技機」に相当する。
（ｄ）上記（ｃ）で言及したように刊行物１発明の「立体物Ｘ１」は、本願発明の「演出用役物」に相当するから、刊行物１発明の「ハーフミラー２０は、当該ハーフミラー２０を透過して立体物Ｘ１の実像が遊技者から見えるように構成され」ていることは、本願発明の「前記透過性表示手段は、前記演出用役物を視認可能な状態において前記表示物を表示可能に構成されて」いることに相当する。
（ｅ）刊行物１発明の「第１の位置」は、ＬＣＤ１０による２次元画像が遊技者に提示されることから、本願発明の「画像表示手段で所定の演出を行う第１の位置」に相当する。同様に、刊行物１発明の「第２の位置」は、ＬＣＤ１０からハーフミラー２０に投影された虚像が遊技者に提示されることから、本願発明の「前記画像表示手段と前記透過性表示手段とで演出を行う第２の位置」に相当する。
　また、刊行物１発明の「モータ３０」は、本願発明の「駆動手段」に相当する。
　したがって、刊行物１発明の「ＬＣＤ１０が、その表示画面１１が略垂直な状態にあり、当該状態において遊技者からは当該ＬＣＤ１０の表示画面１１は見えるが、ハーフミラー２０は当該ＬＣＤ１０の背後に隠れて見えないため、ＬＣＤ１０による２次元画像が遊技者に提示される第１の位置と、ＬＣＤ１０が、その表示画面１１が略水平な状態にあり、当該状態においてＬＣＤ１０からハーフミラー２０に投影された虚像が遊技者に提示される第２の位置との間を、当該ＬＣＤ１０を回動させることにより移動させるモータ３０」は、本願発明の「前記画像表示手段は、前記画像表示手段で所定の演出を行う第１の位置と、当該第１の位置から前記画像表示手段を移動させて前記画像表示手段と前記透過性表示手段とで演出を行う第２の位置とに、前記画像表示手段を移動可能な駆動手段」に相当する。
（ｇ’）刊行物１発明における「立体物Ｘ１の実像」は、「ハーフミラー２０を支持する支持体２１を遊技者の視認方向に平行移動させてハーフミラー２０を後退させることで、遊技者から見ると、ＵＦＯの虚像とともに遠ざかるように見え」るよう変化するものである。
　したがって、刊行物１発明の「立体物Ｘ１の実像は、ハーフミラー２０を支持する支持体２１を遊技者の視認方向に平行移動させてハーフミラー２０を後退させることで、遊技者から見ると、ＵＦＯの虚像とともに遠ざかるように見え」ることと、本願発明の「前記演出用役物は、前記変位手段が前記画像表示手段を少なくとも前記画像表示手段と前記透過性表示手段とで演出を行うことが可能な範囲内で変位させる態様とは異なる態様での変化が可能」であることとは、「前記演出用役物は、」「変化が可能」なものである点で共通する。
（ｈ）刊行物１発明における「スロットマシン１００」が、「ハーフミラー２０の後退」に伴って、「ＬＣＤ１０」が「ＬＣＤ１０からハーフミラー２０に投影する画像」の「表示位置を徐々に変化させ」ることは、本願発明における「前記遊技機」が、「前記演出用役物の変化」に合わせて、「前記画像表示手段」が「前記画像」を「変化させる」ことに相当する。
　したがって、刊行物１発明の「スロットマシン１００は、ハーフミラー２０の後退に伴ってＬＣＤ１０からハーフミラー２０に投影する画像の表示位置を徐々に変化させ」ることで、「虚像であるＵＦＯが飛び去っていく様子を表現できるものであ」ることは、本願発明の「前記遊技機は、前記演出用役物の変化に合わせて、」「前記画像表示手段が前記画像を変化させる」こと「を行うものであ」ることに相当する。
（ｊ）上記（ｃ）で言及したように刊行物１発明の「立体物Ｘ１」は、本願発明の「演出用役物」に相当するから、刊行物１発明の「立体物Ｘ１がその内部に配設され、かつハーフミラー２０を支持する支持体２１」は、本願発明の「前記演出用役物を支持する支持手段」うことに相当する。
（ｋ）上記（ｊ）で言及したように刊行物１発明の「支持体２１」は、本願発明の「支持手段」に相当するから、刊行物１発明の「ハーフミラー２０を支持する支持体２１を移動させるモータ４０、ボールネジ４２及びボールナット部材２１ｅ」は、本願発明の「前記支持手段を移動可能な支持駆動手段」に相当する。
（ｍ）刊行物１発明の「スロットマシン１００」は、本願発明の「遊技機」に相当する。
　上記（ａ）〜（ｅ）、（ｇ）、（ｈ）で、（ｊ）、（ｋ）、（ｍ）の検討より、本願発明と刊行物１発明とは、
「Ａ　画像が表示される表示画面を有し、該表示画面が遊技機正面視で遊技者に視認可能となる画像表示手段と、
Ｂ　表示物を表示可能であるとともに、その裏面側が視認可能であって前記画像表示手段に表示される画像を視認可能な透過性表示手段と、
Ｃ　前記透過性表示手段の背後に配置され且つ当該透過性表示手段を透過して視認可能に配置される演出用役物と、を備えた遊技機において、
Ｄ　前記透過性表示手段は、前記演出用役物を視認可能な状態において前記表示物を表示可能に構成されており、
Ｅ　前記画像表示手段は、前記画像表示手段で所定の演出を行う第１の位置と、当該第１の位置から前記画像表示手段を移動させて前記画像表示手段と前記透過性表示手段とで演出を行う第２の位置とに、前記画像表示手段を移動可能な駆動手段と、を有し、
Ｇ’　前記演出用役物は、変化が可能であって、
Ｈ　前記遊技機は、前記演出用役物の変化に合わせて、前記変位手段が前記画像表示手段を変位させるか、又は、前記画像表示手段が前記画像を変化させるかの少なくともいずれか一つを行うものであり、
Ｊ　前記演出用役物を支持する支持手段と、
Ｋ　前記支持手段を移動可能な支持駆動手段と、を備える、
Ｍ　遊技機。」
である点で一致し、以下の点で相違する。
［相違点１］
　本願発明は、「前記第２の位置に移動した画像表示手段を少なくとも画像表示手段と透過性表示手段とで演出を行うことが可能な範囲内で変位させて、透過性表示手段の表示物との位置関係を変化可能な変位手段」を備え、「変位手段は、複数段階に変位可能である」のに対して、刊行物１発明は、そのような特定を有しない点。（構成Ｆ、Ｌ）
［相違点２］
　本願発明における「演出用役物」は、「前記変位手段が前記画像表示手段を少なくとも前記画像表示手段と前記透過性表示手段とで演出を行うことが可能な範囲内で変位させる態様とは異なる態様」での変化が可能であるのに対して、刊行物１発明における「立体物Ｘ１」（演出用役物）は、そのような特定を有しない点。（構成Ｇ）
［相違点３］
　本願発明は、「演出用役物の明るさを変化させる発光手段」を備えるのに対して、刊行物１発明は、そのような特定を有しない点。（構成Ｉ） 
（２）判断
（ア）上記［相違点１］について検討する。
　上記刊行物２には、上記「第４」の（２）に示したとおりの技術事項が記載されている。
　そして、刊行物２記載の技術事項における「第２の表示器」を「上下方向にスライドさせる」「駆動機構」は、本願発明の「画像表示手段」を「変化可能な」「変位手段」であるといえ、刊行物２記載の技術事項において、「遊技者の目の位置からみると前記第１の表示器の表示像（実像）と前記第２の表示器の表示像（虚像）とが同一領域に両表示像の奥行き感に違いがある様に見える」ことを前提に「前記第２の表示器の表示像（虚像）の表示結像位置を変化させる」ことが可能であることは、本願発明の「画像表示手段と透過性表示手段とで演出を行うことが可能な範囲内で変位させて、透過性表示手段の表示物との位置関係を変化可能」であることに対応する構成であるから、刊行物２記載の技術事項は、相違点１に係る「画像表示手段を少なくとも画像表示手段と透過性表示手段とで演出を行うことが可能な範囲内で変位させて、透過性表示手段の表示物との位置関係を変化可能な変位手段」を備えるという事項を提示している。
　また、刊行物２記載の技術事項における「駆動機構」は、「第２の表示器」を「上下方向にスライドさせる」のであるから、「第２の表示器」を「複数段階に変位可能である」ことは明らかである。
　ここで、刊行物１発明においては、上記（１）の（ｇ）で認定したとおり、ハーフミラー２０の後退のみによっても、立体物Ｘ１の実像とＵＦＯの虚像とは同程度に遠ざかるように見えるところ、（ｈ）で認定したとおり、該後退につれてさらにＵＦＯの画像を縮小しているのは、立体物Ｘ１の実像よりもＵＦＯの虚像をより遠くへ飛び去るように見せる効果を意図したものであることが明らかである。
　そして、刊行物１発明と刊行物２記載の技術事項とは「画像表示手段と、透過性表示手段と、当該透過性表示手段の背後に配置され且つ前記透過性表示手段を透過して視認可能に配置された演出用役物とからなり、遊技者の目の位置からみると前記演出用役物の表示像（実像）と前記画像表示手段の表示像（虚像）とが同一領域に両表示像の奥行き感に違いがある様に見えるようにした遊技機用表示装置」についてのものである点で共通している。
　よって、刊行物１発明において、構成ｈの「ハーフミラー２０の後退に伴ってＬＣＤ１０からハーフミラー２０に投影する画像の表示位置を徐々に変化させ、かつ、画像を徐々に縮小していくことで、虚像であるＵＦＯが飛び去っていく様子を表現」するにあたり、ＬＣＤ１０で画像を徐々に縮小させることに替えて、刊行物２記載の第２の表示器を上方向にスライドさせることにより、第２の表示器の表示像（虚像）の表示結像位置を変化させて第２の表示像を縮小して表示させる技術を採用し、ＬＣＤ１０を上下方向にスライドさせる構造に変更して、虚像であるＵＦＯがより遠ざかって飛び去っていく様子を表現するように構成することで上記相違点１に係る本願発明の構成とすることは、当業者が容易に想到し得たことである。
　したがって、上記相違点１に係る本願発明の構成は、刊行物１発明に刊行物２記載の技術事項を適用することにより導かれる構成である。
（イ−１）上記［相違点２］について検討する。
　刊行物１発明においては「ハーフミラー２０を支持する支持体２１を遊技者の視認方向に平行移動させてハーフミラー２０を後退させることで、遊技者から見ると、ＵＦＯの虚像とともに遠ざかるように見えること」（構成ｇ）から、「立体物Ｘ１」（演出用役物）は、「ハーフミラー２０を支持する支持体２１を遊技者の視認方向に平行移動させてハーフミラー２０を後退させること」により変化が可能であるといえる。
　ここで、上記（ア）で検討したとおり刊行物２記載の技術事項を適用した場合の、駆動機構がＬＣＤ１０を上下方向にスライドさせる態様であって「前記変位手段が前記画像表示手段を少なくとも前記画像表示手段と前記透過性表示手段とで演出を行うことが可能な範囲内で変位させる態様」と、刊行物１発明の上記「ハーフミラー２０を支持する支持体２１を遊技者の視認方向に平行移動させてハーフミラー２０を後退させる」という態様とは、「異なる態様」であるといえる。
　したがって、上記相違点２に係る本願発明の構成は、刊行物１発明に刊行物２記載の技術事項を適用することにより導かれる構成である。
（ウ）上記［相違点３］について検討する。
　上記刊行物３には、上記「第４」の（３）に示したとおりの技術事項が記載されている。
　ここで、刊行物１発明において、立体物Ｘ１の明るさを変化させる発光手段を備えるかについては特に明記されていないものの、刊行物１の【００２６】に「支持体２１はその天井部、背部、底部、を構成する天板２１ａ、背板２１ｂ、底板２１ｃを備え、ハーフミラー２０は天板２１ａと底板２１ｃとの間で支持されている。」、【００３５】に「図６（ａ）の例ではハーフミラー２０の背後であって、虚像の位置よりも遊技者の視認方向に後に立体物Ｘ１が配置されている。立体物Ｘ１は実像としてハーフミラー２０を透過して遊技者から見えることになる。」と記載され、立体物Ｘ１が天板２１ａ、背板２１ｂ、底板２１ｃにより周りを囲まれた構造であるから、前記立体物Ｘ１を「遊技者から見える」ようにするため何らかの発光手段を設けるべきことは自明である。
　そうすると、刊行物１発明と刊行物３記載の技術事項とは、ＬＣＤからハーフミラーに投影された画像（虚像）とハーフミラーの背後に配置されている立体物（実像）とが合成された合成画像を遊技者に提示するスロットマシンについてのものである点で共通しているから、刊行物１発明に対して、刊行物３記載の技術事項も適用し、「ハーフミラーの背後を徐々に明るく又は暗くしたり、ＬＣＤに画像を表示せず、ハーフミラーの背後の立体物の提示と立体物を照明する照明ユニットの照明の変化のみの演出」としたりするための「発光手段」を備えるようにすることで上記相違点３に係る本願発明の構成とすることは、当業者が容易に想到し得たことである。
　したがって、上記相違点３に係る本願発明の構成は、刊行物１発明に刊行物３記載の技術事項を適用することにより導かれる構成である。
（イ−２）上記［相違点２］について別途検討する。
　刊行物１発明に対して、刊行物３記載の技術事項を適用し、「立体物を徐々に発光して浮かび上がるようにしたり、ハーフミラーの背後を徐々に明るく又は暗くしたり、ＬＣＤに画像を表示せず、ハーフミラーの背後の立体物の提示と立体物を照明する照明ユニットの照明の変化のみの演出」としたりした場合の「立体物Ｘ１」（実像）の「変化」の「態様」は、刊行物２記載の技術事項を適用した場合の態様、すなわち、「前記変位手段が前記画像表示手段を少なくとも前記画像表示手段と前記透過性表示手段とで演出を行うことが可能な範囲内で変位させる態様」とは「異なる態様」であることは明らかである。
　したがって、上記相違点２に係る本願発明の構成は、刊行物１発明に刊行物２、３記載の技術事項を適用することにより導かれる構成である。
（３）平成２９年１０月６日付の意見書における請求人の主張について
　請求人は、平成２９年１０月６日付の意見書において
（イ）第４頁第２５−３０行目に「よって、構成要件（Ｆ）とは作用が異なるＬＣＤ１０とハーフミラー２０との距離（Ｌ１、Ｌ２）を変化させるために、ハーフミラー２０を奥行き方向（遊技者の視認方向）に平行移動させる構成からは、構成要件（Ｆ）のように、第２の位置に移動した画像表示手段を少なくとも画像表示手段と透過性表示手段とで演出を行うことが可能な範囲内で変位させて、透過性表示手段の表示物との位置関係を変化させることは、当業者が容易に想到し得たことであるとはいえません。」と主張している。
　しかし、本願発明の構成要件（Ｆ）については、上記（１）で［相違点１］として示し、その容易想到性については（２）（ア）で説示したとおりである。
　よって、請求人の当該主張は採用できない。
（ロ）第４頁第４８−第５頁１２行目に「したがって、刊行物１記載の発明に、刊行物２記載の技術事項「第２の表示器の全体を上下方向にスライドさせることにより第２の表示器の表示像の表示結像位置を変化させる駆動機構」を適用すると、「３次元画像表示時にもこの表示位置と退避位置との間を最大範囲としてハーフミラー２０を移動する」ことがなくなり、「ＬＣＤ１０が第２の位置にある時のハーフミラー２０の移動は、表示位置と退避位置との間におけるハーフミラー２０の移動の少なくとも一部を構成しており、換言すれば、移動経路を少なくとも一部共通にしている。こうすることで、両者を別々にする場合よりも機構を簡易なものとすることができる。」とはいえなくなります。つまり、刊行物２記載の技術事項は、刊行物１記載の発明がその適用を排斥しており、採用されることがあり得ないと考えられる副引用発明にあたります。よって、ＬＣＤ１０とハーフミラー２０との距離（Ｌ１、Ｌ２）を変化させるために、ハーフミラー２０を奥行き方向（遊技者の視認方向）に平行移動させる構成を開示するに留まる刊行物１記載の発明に対して、刊行物２記載の技術事項を適用して、本願の構成要件（Ｆ）に相当する構成はとすることは、当業者が容易に想到し得たことであるとはいえません。」と主張している。
　しかし、刊行物１発明においては、上記（１）の（ｇ）で認定したとおり、ハーフミラー２０の後退のみによっても、立体物Ｘ１の実像とＵＦＯの虚像とは同程度に遠ざかるように見えるところ、（ｈ）で認定したとおり、該後退につれてさらにＵＦＯの画像を縮小しているのは、立体物Ｘ１の実像よりもＵＦＯの虚像をより遠くへ飛び去るように見せる効果を意図したものであることが明らかである。そして、虚像であるＵＦＯがより遠ざかって飛び去っていく様子を表現するために、ハーフミラー２０の後退に伴ってＬＣＤ１０からハーフミラー２０に投影する画像の表示位置を徐々に変化させることに加えて行われる、画像を徐々に縮小していくことについて、刊行物１発明のＬＣＤ１０で画像を徐々に縮小させることと、刊行物２記載の技術事項である第２の表示器を上方向にスライドさせることにより、第２の表示器の表示像（虚像）の表示結像位置を変化させて第２の表示像を縮小して表示させる技術とは置換可能であるから、刊行物１発明に刊行物２記載の技術事項を適用する動機付けがあるといえる。
　また、上記のとおり、画像を徐々に縮小していくことは、虚像であるＵＦＯがより遠ざかって飛び去っていく様子を表現するために、ハーフミラー２０の後退に伴ってＬＣＤ１０からハーフミラー２０に投影する画像の表示位置を徐々に変化させることに加えて行われる場合であるから、ハーフミラー２０を移動することがなくなることはなく、ハーフミラー２０を奥行き方向（遊技者の視認方向）に平行移動させる構成も維持されることが明らかである。
　よって、請求人の当該主張は採用できない。
（ハ）第５頁第３７−４７行目に「仮に、刊行物１記載の発明に刊行物２記載の技術事項を適用することができるとすれば、刊行物１，２の記載事項からでは、単に、刊行物１に記載されるＬＣＤ１０を、刊行物２に記載されるような光学ミラー８の背後に配置される第１の表示器４−ａと、遊技機正面視で遊技者に見えない位置（具体的には釘７等が打ち込まれるベニヤ板２の裏面）でのみ上下方向にスライドされる第２の表示器５−ａとを備えて２次元画像（例えば第１の表示器４−ａの表示像（実像））と３次元画像（例えば第２の表示器５−ａの表示像（虚像））とを選択的に提供するような構成に替えることが想起されるに留まります。したがいまして、刊行物２に記載される技術事項は、構成要件（Ｆ）に相当する構成を備えるという事項を提示しているとは言えませんので、仮に刊行物１記載の発明に刊行物２記載の技術事項を適用できたとしても、構成要件（Ｆ）に相当する構成を容易に想起できるとは言えません。」と主張している。
　しかし、虚像であるＵＦＯが飛び去っていく様子を表現するための、画像を徐々に縮小していくことを実行するために、刊行物１発明において刊行物２記載の技術を採用してＬＣＤ１０を上下方向にスライドさせる構造を追加して構成することが、当業者が容易に想到し得たことであることは、上記（２）（ア）で説示したとおりである。
　よって、請求人の当該主張は採用できない。
（４）まとめ
　以上のとおり、刊行物１発明において刊行物２、３の記載事項を適用することにより、上記相違点１−３に係る本願発明のように構成することは、当業者が容易に想到し得たことであり、本願発明は、特許法第２９条第２項の規定により特許を受けることができない。
　したがって、本願は拒絶すべきである。
　よって、結論のとおり審決する。